(57)【要約】【課題】不当な再使用を効果的に防止するレンズ付きフィルムユニットを提供する。【解決手段】ストロボ基板３１にヒータ４２を設ける。ヒータ４２は、電源電池３３、抵抗素子Ｒ、スイッチと直列に接続され、バネ４３によって本体基部１４に付勢されている。スイッチは、フィルムカウンタ板３８に設ける。全撮影コマの撮影が終了し、フィルム巻上げ操作を行うと、フィルムカウンタ板３８が回転して金属片３９と２つの金属切片４０，４１が接触し、スイッチがオンして電源電池３３からヒータ４２へ電流が流れる。ヒータ４２が発熱し、バネ４３の付勢にしたがって本体基部１４を変形させるから、ユニット本体に新しい写真フィルムを装填しても撮影を行うことはできない。また、損傷された本体基部のみを交換しようとしても多数の部品を分解して再度組み立てを行わなければならないため、不当な再使用を効果的に防止できる。【選択図】　　　　図３
2004085618.tif 000002
【特許請求の範囲】
【請求項１】
撮影機構、ストロボ装置、及びストロボ用の電源電池が取り付けられる本体基部、前記本体基部を前後から覆う前カバー及び後ろカバーを備えるユニット本体に製造時に写真フィルムを含む写真フィルムカートリッジを装填したレンズ付フィルムユニットにおいて、
前記電源電池から電力が供給されて発熱し、前記本体基部を部分的に溶融するヒータと、全撮影コマの撮影完了から写真フィルムカートリッジの取り出しまでの間に前記ヒータをオンするスイッチとを備えたことを特徴とするレンズ付フィルムユニット。
【請求項２】
前記スイッチは、前記電源電池に接続されている２つの金属切片と、フィルムカウンタ板に設けられた導通手段であり、全撮影コマの撮影完了後、写真フィルムを巻き上げたときに、前記導通手段によって前記２つの金属切片が導通されることを特徴とする請求項１記載のレンズ付きフィルムユニット。
【請求項３】
前記スイッチは、写真フィルムを給送する給送路内に配置され、前記給送路内の写真フィルムを挟み込む一対の金属切片であり、写真フィルムが両切片の間から退避することによって、オンすることを特徴とする請求項１記載のレンズ付きフィルムユニット。
【請求項４】
前記ヒータは、本体基部のうち、フィルム給送路を構成する部位と当接するように配置されており、前記部位を溶かして変形する、もしくは穴をあけることを特徴とする請求項１ないし３いずれか記載のレンズ付きフィルムユニット。
【発明の詳細な説明】
【０００１】
【発明の属する技術分野】
本発明は、写真フィルムの詰め替え防止を図ったレンズ付きフィルムユニットに関するものである。
【０００２】
【従来の技術】
予め写真フィルムと空のカートリッジ本体とが装填してあり、１コマ撮影する毎に行われる巻上げ操作によって撮影済みの写真フィルムがカートリッジ本体に収納されてゆき、全ての撮影が終了した後には、そのまま現像取扱店に提出すれば、ネガとプリント写真が返却されるレンズ付きフィルムユニットが市販されている。
【０００３】
ところが、近年、使用済みのレンズ付きフィルムユニットに新しい写真フィルムを詰め替え、外装体のみを別のものに取り替えた、いわゆる詰め替え品が増加している。このような詰め替え品は、粗悪なものが多く、レンズ付きフィルムユニット全体のイメージダウンを招くとともに、不正競争が発生して正規のレンズ付きフィルムユニットを開発、販売しているメーカーが非常な不利益を被っている。
【０００４】
そこで、特開平１１−１８３９８６号では、撮影レンズ、ファインダレンズ、シャッタ羽根及びシャッタ羽根の保持部材等からなる撮影機構を構成する少なくとも１個の部品に損傷を与えることによって不当な再使用を防止するレンズ付きフィルムユニットが開示されている。
【０００５】
【発明が解決しようとする課題】
しかしながら、上記撮影機構を損傷させるレンズ付きフィルムユニットでは、損傷された部品のみを交換することによって容易に再使用可能になるため、上記のような詰め替えによる不当な再使用を完全に防止することはできなかった。
【０００６】
本発明は、上記問題を解決するためのものであり、不当な再使用をより効果的に防止するレンズ付きフィルムユニットを提供することを目的とする。
【０００７】
【課題を解決するための手段】
上記問題点を解決するために、本発明のレンズ付きフィルムユニットは、撮影機構、ストロボ装置、及びストロボ用の電源電池が取り付けられる本体基部、前記本体基部を前後から覆う前カバー及び後ろカバーを備えるユニット本体に製造時に写真フィルムを含む写真フィルムカートリッジを装填したレンズ付フィルムユニットにおいて、前記電源電池から電力が供給されて発熱し、前記本体基部を部分的に溶融するヒータと、全撮影コマの撮影完了から写真フィルムカートリッジの取り出しまでの間に前記ヒータをオンするスイッチとを備えたものである。
【０００８】
また、前記スイッチは、前記電源電池に接続されている２つの金属切片と、フィルムカウンタ板に設けられた導通手段であり、全撮影コマの撮影完了後、写真フィルムを巻き上げたときに、前記導通手段によって前記２つの金属切片が導通されるものである。また、前記スイッチは、写真フィルムを給送する給送路内に配置され、前記給送路内の写真フィルムを挟み込む一対の金属切片であり、写真フィルムが両切片の間から退避することによって、オンするものである。また、前記ヒータは、本体基部のうち、フィルム給送路を構成する部位と当接するように配置されており、前記部位を溶かして変形する、もしくは穴をあけるものである。
【０００９】
【発明の実施の形態】
図１において、本発明のレンズ付きフイルムユニット１は、本体基部を備え、予め写真フイルムを装填したユニット本体２と、ユニット本体２を部分的に覆うように巻きつけられた外装ラベル３とから構成されている。外装ラベル３には、撮影レンズ４，ファインダ窓５等を露呈させるための開口等が形成されている。ユニット本体２の前部には、撮影レンズ４，ファインダ窓５の他、ストロボ発光部６が設けられ、上部には、シャッタボタン７，フイルムカウンタ窓８、また背面部には巻上げノブ９が設けられている。
【００１０】
図２に示すように、ユニット本体２は、前カバー１３、本体基部１４、露光ユニット１５、ストロボユニット１６、写真フイルムカートリッジ１７、及び後カバー１８とで構成されている。本体基部１４には、アパーチャ１９を挟んだ一方側にカートリッジ２０が収納されるカートリッジ収納室２１が、また他方側にカートリッジ２０から写真フイルム２２をロール状に引き出したフイルムロール２２ａを収納するフイルムロール室２３がそれぞれ一体に設けられている。
【００１１】
後カバー１８には、カートリッジ収納室２１とフイルムロール室２３との底を塞ぐための底蓋１８ａ，１８ｂがそれぞれ設けられている。後カバー１８を取り付けた後に、これらの底蓋１８ａ，１８ｂで各室２１，２３の底を塞ぐことで写真フイルムカートリッジ１７が本体基部１４との間で光密に収納される。
【００１２】
カートリッジ収納室２１の上には、巻上げノブ９が回転自在に設けられている。巻上げノブ９は、一部が後カバー１８の開口２５から露呈している。フイルム巻き上げ操作を行うと、未露光の写真フイルム２２がフイルムロール室２３から引き出されてアパーチャ１９にセットされ、これと同時に露光済みの写真フイルム２２がカートリッジ２０の内部に収納される。
【００１３】
シャッタボタン７は、前カバー１３の上面に一部を切り欠いて弾性自在に設けられており、押下操作により露光ユニット１５のシャッタ機構を作動させる。シャッタ機構は、蹴飛ばし式のものが使われている。シャッタ羽根が往復すると、被写体光が前カバー１３の撮影窓１３ａ、及び、露光ユニット１５の撮影レンズ４を通った被写体光がシャッタ開口を通ってアパーチャ１９にセットされた写真フイルム２２に入射する。
【００１４】
ストロボユニット１６は、電源回路、ストロボ充電回路、及びストロボ発光回路等をもったストロボ基板３１に、メインコンデンサ３２、電源電池３３、シンクロスイッチ３４、及びストロボ発光部６等を一体的に取り付けたユニット部品である。前記電源電池３３は、例えば単三型電源電池であり、後述するヒータの電源に兼用される。
【００１５】
前カバー１３の前面に設けたストロボ充電ボタン３６を押圧操作すると、ストロボ充電回路が閉鎖され、電源電池３３の電圧を昇圧してメインコンデンサ３２に充電を行う。その後、シャッタレリーズに応答してシャッタ羽根が全開したときに、シンクロスイッチ３４がオンしてトリガー信号がストロボ発光部６の内部の放電管に与えられ、これに応答してメインコンデンサ３２に蓄積された充電電圧により放電管が発光し、ストロボ発光部６からストロボ光が照射され、このストロボ光が前カバー１３のストロボ発光窓３７を通って被写体を照明する。
【００１６】
図３（Ａ）に示すように、ストロボ基板３１にはヒータ４２が設けられており、本体基部１４のうち、フィルム給送路を構成する部位にバネ４３によって付勢されている。ヒータ回路が閉じると、電源電池３３からヒータ４２に電流が流れ、ヒータ４２が発熱する。ヒータの熱によって前記部位が融解してゆき、バネ４３の付勢にしたがって前記部位が変形される。したがって、たとえ未使用の写真フィルムカートリッジをユニット本体２に再装填しても撮影することはできなくなる。なお、図３（Ｂ）に示すように、ヒータ４２は環状のものが用いられる。
【００１７】
図４に示すように、ヒータ回路を閉じるスイッチは例えばフィルムカウンタ板３８に設けられた金属片３９と、電源電池３３につながれた２つの金属切片４０，４１とから構成される。初期状態においては金属片３９と金属切片４０，４１は接触しないように配置されており、スイッチはオフになっている。写真フィルムを１コマ撮影するごとに巻上げノブ９を回転させて巻上げ操作を行うと、巻上げノブ９の回転に連動してフィルムカウンタ板３８は回転する。全ての撮影が完了した後の巻上げ操作によるフィルムカウンタ板３８の回転で、金属片３９と金属切片４０，４１が接触して、スイッチがオンになる。なお、本実施形態では、スイッチを、フィルムカウンタ板３８に設けられた金属片３９と、電源電池３３につながれた２つの金属切片４０，４１とから構成したが、スイッチをフィルムカウンタ板に設けられた突起と、２つの金属切片とから構成し、フィルムカウンタ板の回転にしたがって突起が１つの金属切片をもう１つの金属切片に向かって押し付けることにより、前記２つの金属切片を接触させてオンするようにしてもよい。
【００１８】
なお、写真フイルム２２の全コマがストロボ撮影された場合には、電源電池３３の電力は相当量消耗しているが、それでもヒータ４２を数十秒間以上発熱させ、本体基部１４を変形させるには十分な残量があることが実験で判っている。また、抵抗素子Ｒは、電源電池３３からヒータ４２に流れる電流量をユーザに危険がない程度に調節するとともに、ヒータ４２の発熱が数分間以内で終了するように電源電池３３を消耗させる抵抗値に予め決められている。また、レンズ付きフイルムユニット１の組立において、電源電池３３の装着はカートリッジ２０をカートリッジ収納室２１に収納した後にされる。
【００１９】
次に上記作用を簡単に説明する。レンズ付きフィルムユニット１の全コマを撮影し終えた後、巻上げ操作が行われるとスイッチがオンして電源電池３３からヒータ４２に電流が流れ、ヒータ４２が発熱する。この発熱時間は、電源電池３３の消耗度合いによって大きく変動するが、数十秒間から数分間継続され、ヒータ４２に密着している本体基部１４が変形されて再使用不能な状態となる。なお、撮影機構などとは違い、本体基部を交換して撮影可能にするためには多くの部品を分解して再度組み立てを行わなければならないため、詰め替え業者が不当な再使用を行うことを防止できる。
【００２０】
ヒータ４２の発熱は、後カバー１８を触っても火傷を負わない程度に抑えられているとともに、電源電池３３は、ヒータ４２が発熱を開始してから最大でも数分間程度で完全に消耗するため、安全性に問題はない。また、ヒータ４２にはストッパーが設けられているため、ヒータ４２がバネ４３によって付勢されて後カバー１８を変形させることはない。また、変形された本体基部１４は、メーカーのリサイクル工場で溶融，ペレット化して成形用の樹脂材料として再利用される。なお、従来、本体基部はその損傷にかかわりなく溶融されて再利用されてきた部分であり、そのまま再使用されてきた撮影機構、ストロボなどは損傷を受けないため、メーカーに不利益を及ぼすことはない。また、ストロボ基板にヒータを設け、フィルムカウンタ板にスイッチを設けたので、本体基部、後カバーを溶融する際に金属混入がなく、再利用がより簡単になる。
【００２１】
上記実施形態では、ヒータ４２によって本体基部１４を変形させているが、ヒータ４２によって本体基部１４に穴をあけるようにしてもよい。また、上記実施形態では、ストロボ基板３１にヒータ４２を設けたが、図５に示すように、本体基部１４にヒータ５２を設け、捩りバネ５３によって本体基部１４に付勢されるようにしてもよい。また、上記実施形態では、フィルムカウンタ板３８にスイッチを設けたが、図６に示すように、金属切片５０，５１が写真フィルム２２を給送する給送路内で、写真フィルム２２の下部にある未露光部分を挟み込むようにしてもよい。この場合、全コマの撮影終了後のフィルム巻上げ操作によってフィルムが金属切片５０，５１の間から退避したときに両切片が接触することによってスイッチがオンする。なお、図示していないが、金属切片５０，５１は本体基部１４、後カバー１８にインサート成形されている。また、ヒータを環状としたが、本発明はこれに限定されず、任意な形状のヒータを用いることができる。
【００２２】
【発明の効果】
以上説明したように、本発明のレンズ付きフィルムユニットによれば、全撮影コマの撮影完了後、ストロボ用の電源電池を利用して本体基部に損傷を与えるようにしたので、使用済みのユニット本体に新しい写真フィルムカートリッジを再装填しても撮影することができなくなる。また、損傷された本体基部のみを交換しようとしても多数の部品を分解して再度組み立てを行わなければならないため、不当な再使用を効果的に防止できる。
【図面の簡単な説明】
【図１】レンズ付きフィルムユニットの外観を示す斜視図である。
【図２】ユニット本体の構成を示す分解斜視図である。
【図３】ヒータを示す概略説明図である。
【図４】スイッチ及びヒータ回路を示す概略説明図である。
【図５】本発明の別の実施形態に係るヒータを示す概略説明図である。
【図６】本発明の別の実施形態に係るスイッチを示す概略説明図である。
【符号の説明】
１　レンズ付きフイルムユニット
２　ユニット本体
１３　前カバー
１４　本体基部
１５　露光ユニット
１６　ストロボユニット
１７　写真フィルムカートリッジ
１８　後カバー
２２　写真フィルム
３３　電源電池
３８　フィルムカウンタ板
３９　金属片
４０，４１　金属切片
４２　ヒータ
５０，５１　金属切片
５２　ヒータ
【図１】
2004085618.tif 000003
【図２】
2004085618.tif 000004
【図３】
2004085618.tif 000005
【図４】
2004085618.tif 000006
【図５】
2004085618.tif 000007
【図６】
2004085618.tif 000008